(57)【要約】      （修正有）【課題】ブレード両端からはみ出すことなく、周囲で作業する人々への安全を確保すると共に、路肩に接する建築物や施設への損傷を回避することができ、安全で確実な除雪効果を獲得できるサイドシャッター垂直保持装置を提供する。【解決手段】サイドシャッター垂直保持装置は、ホイールローダの作業用アタッチメントである除雪ブレード３０、３１において、左右のブレード端に除雪面進行方向に対してＶ字型で垂直構造のサイドシャッター１０、１１を設け、サイドシャッターの平行を維持する二本の平行ロッド２０の片方にセンターブレード３０背部に固定する支持軸２１を設け、他方２２が左右の除雪ブレード３１背面に敷設され、サイドシャッターに連結接続され、左右のブレード下端部には、サイドシャッターに一本の支持軸を中心とする可動軸を設け、除雪車両の進行方向に対してサイドシャッターの垂直を保持し、サイドシャッターの収納を可能とするサイドシャッターユニットを構成する。【選択図】図３
0003231657.tif 000002
【実用新案登録請求の範囲】
【請求項１】
ホイールローダの作業用アタッチメントである除雪ブレードにおいて、除雪作業時除雪車両の進行方向に対し、左右の排雪板ブレードの両端に垂直保持されるサイドシャッター機構を設け、サイドシャターは進行方向に対して垂直を保持することにより除雪面からブレード面で受けた雪塊を左右の排雪板ブレード両端から毀れ落ちる事を防止することが出来ることを特長とするサイドシャッター垂直保持装置。
【請求項２】
請求項１のサイドシャッター垂直保持装置は、除雪作業時の車両進行方向に対し、常に垂直を保持する目的として、サイドシャッターユニットが装着され、このユニントには平行リンクロッドが接続され、排雪板ブレード左右両端に装着された垂直保持サイドシャッター機構となり、車両進行方向に対して、絶えずサイドシャッターを垂直に保持することが獲得でき、センターブレード後方に位置する支持軸を固定支持点として、排雪板ブレードの前後方向へのアングル動作に際しても、車両進行方向に対して絶えずサイドシャッターは進行方向に対して、垂直を保持することを特長とする平行リンクロッド機構をもつサイドシャッター垂直保持装置。
【考案の詳細な説明】
【技術分野】
【０００１】ホイールローダは、作業車輌本体の前面先端に作業用アタッチメントを装着して、土砂や飼料の運搬・積込、道路や構内の除雪、木材などの運搬等の様々な作業を行う。作業用アタッチメントは作業内容に合わせて、バケット、ブレード、フォーク等の各種アタッチメント選択し、作業車両前面に装着される。【０００２】作業車輌の先端に装着される作業用アタッチメントのなかでも、除雪ブレードは積雪地帯では除雪作業用車両のアタッチメントとして使用され、一般道路及び住宅地のような狭小道路及び駐車場内・広場等の各種除雪現場での使用を可能とする特徴を有するものである。【０００３】従来、除雪ブレードにおいて、徐雪作業時、ブレードの左右両端から集雪した雪塊が、除雪した路面に毀れ残り、作業効率を図るうえで、ブレード両端にサイドシャッターを装着する改良を重ねてきた。
【背景技術】
【０００４】従来の除雪ブレードの左右両端に装着されるサイドシャッターは、作業車両の進行方向に対してＶ字型に設置され、ブレードの左右両端から集雪した雪塊が毀れ落ちないよう装着されていた。
【先行技術文献】
【特許文献】
【０００５】
【特許文献１】特開２００８−２９７８０９号  公報
【考案の概要】
【考案が解決しようとする課題】
【０００６】ホイールローダの作業車輌の先端に装着する作業アタッチメントで、従来のブレードの左右両端に装着されるサイドシャッターは、作業車両の進行方向に対してＶ字型に設置されているため、サイドシャッターの張出時はブレードから大きく張り出し、構造的にサイドシャッターに大きな負担が掛かることから耐久性が劣り、しかも、急に除雪ブレード幅より大きく飛び出す危険性があることが指摘され、問題視されていた。また、路肩の端や狭小住宅街道路の除雪には不向きとされていたのが実情であった。
【課題を解決するための手段】
【０００７】従来のブレードの左右両端に装着されるサイドシャッターが作業車両の進行方向に対してＶ字型に設置されていたものから、左右のサイドシャッターに接続する二本のロッドから構成する、平行リンクロッド機構をもつことにより、左右両端のサイドシャッターはブレード両端からはみ出すことなく、作業車両進行方向に対して垂直に保持される機構を考案した。【０００８】この平行リンクロッド機構は、左右のブレードの開閉並びに傾き動作を行っても、左右両端のサイドシャッターは絶えず、作業車両進行方向に対して垂直に保持されることを目的とする機構である。
【考案の効果】
【０００９】平行リンクロッド機構により、左右のブレード両端に装着されたサイドシャッターは、ブレード両端からはみ出すことなく、作業車両進行方向に対して垂直に保持される機構を獲得することが出来た。【００１０】この平行リンクロッド機構により、垂直保持されたサイドシャッターは、周囲で作業する人々への安全を確保すると共に、路肩の端や路肩に接する建築物や施設への損傷を回避することができ、安全で確実な除雪効果を獲得出来た。
【図面の簡単な説明】
【００１１】
【図１】本考案、サイドシャッター装着除雪ブレードをホイールローダに装着した側面図
【図２】本考案、サイドシャッター装着除雪ブレード作業車両前方よりの斜視図
【図３】本考案、サイドシャッター装着除雪ブレードと平行リンク機能を示す斜視図
【図４】本考案、サイドシャッターユニット部分
【図５】従来のサイドシャッター装着除雪ブレードのＶ字型に開くサイドシャッターを示す車両上側から見た平面図
【図６】本考案、サイドシャッター装着除雪ブレードが進行方向に垂直に保持されていることを示す車両上側から見た平面図
【考案を実施するための形態】
【００１２】本考案を実施する方法を図１により説明すると、ホイールローダ作業車両側面図のとおり、除雪時はサイドシャッターは突出時１０の位置にあり、サイドシャッター未使用時１１の位置にあります。図２のホイールローダ作業車両を全面斜視図でみるようにサイドシャッターは１０はブレードの両端から突出し、除雪しながら集めた雪塊を毀れないよう防止する部分であり、サイドシャッターの突出から未使用時の収納をサイドシャッターユニット１２がブレード両端に装着された状態を示します。
【００１３】本考案、サイドシャッター垂直保持装置については図３で説明で説明しますと、除雪作業の主要作業部である除雪ブレードはセンターブレード３０を中心に左右の除雪ブレード３１があり、このブレード先端にはサイドシャッターユニット１２が装着される。サイドシャッターを使用する際は、サイドシャッターは突出１０し、未使用時１１は後方に収納される。
【００１４】サイドシャッター垂直保持するために、除雪ブレード背面には平行ロッド支持軸２１を中心に２本の平行ロッド２０が左右に配置し、その先端はサイドシャッターユニット１２に可動軸２２により接続される。
【００１５】サイドシャッターユニット１２は、図４で説明すると、サイドシャッター突出時１０の斜視図であるが、サイドシャッターを回転軸１４を支持軸として可動させる油圧ユニット１３により構成される。
【実施例】
【００１６】実施例として、図５で説明すると、従来の除雪ブレード３１とサイドシャッター突出時１１０の形態は、除雪ブレード幅を超え、しかもＶ字型を形成するため、サイドシャッターへの負担は多く、突出作動時に物的損害及び人的障害事故につながる危険性があった。【００１７】また、除雪ブレードのアングル操作に対してサイドシャター突出時１１０の除雪面はブレード幅に対して不均一であることが、問題視されていました。【００１８】本考案、実施例を図６で説明すると、サイドシャッター垂直保持装置を装着した場合のサイドシャター突出時１０の除雪面は除雪ブレードのアングル操作に際しても、平行リンクロッド２０が絶えず除雪進行方向に対して垂直を保持を獲得し、サイドシャター突出作動時に物的損害及び人的障害事故を激減させ、サイドシャッターへの負担を軽減することができた。【００１９】
【符号の説明】
【００２０】Ｘ・・・ホイールローダ作業車両本体
Ｙ・・・ホイールローダ作業車両の前輪
Ｚ・・・ホイールローダ作業車両とアタッチメント接続アーム
１０・・・サイドシャッター突出時位置
１１・・・サイドシャッター未使用収納時位置
１２・・・サイドシャッターユニット
１３・・・サイドシャッターの突出ないし収納を行う油圧ユニット
１４・・・サイドシャッターの突出ないし収納の回転支持軸
２０・・・ブレード両端のサイドシャッターユニットを垂直保持する平行リンクロッド
２１・・・ブレード両端のサイドシャッターユニットを垂直保持する左右の平行リンクロ          ッドの支持軸
２２・・・ブレード両端のサイドシャッターユニットと平行リンクロッドとの接続軸
３０・・・除雪板のセンターブレード部分
３１・・・左右の除雪板のブレード部分
１１０・・・従来のサイドシャッター突出時位置
１２０・・・従来のサイドシャッター未使用収納時位置
【図１】
0003231657.tif 000003
【図２】
0003231657.tif 000004
【図３】
0003231657.tif 000005
【図４】
0003231657.tif 000006
【図５】
0003231657.tif 000007
【図６】
0003231657.tif 000008
【手続補正書】
【提出日】令和2年1月20日(2020.1.20)
【手続補正１】
【補正対象書類名】実用新案登録請求の範囲
【補正対象項目名】全文
【補正方法】変更
【補正の内容】
【実用新案登録請求の範囲】
【請求項１】
ホイールローダの作業用アタッチメントである除雪ブレードにおいて、除雪作業時除雪車両の進行方向に対し、左右の排雪板ブレードの両端に付属ブレードとしてサイドシャッターを設置し、サイドシャッターは一本の回転軸を支持軸として、進行方向に対して垂直を保持ないし収納を可能とするもので、垂直を保持しサイドシャッターとして機能する際は、除雪面から排雪板ブレード面で集めた雪塊を左右の排雪板ブレード両端から毀れ落ちる事を防止し、しかも路側端の除雪を安全に除雪することとなり、除雪路面の雪塊の残存防止も獲得できるサイドシャッター垂直保持装置を特長とする。
【請求項２】
請求項１のサイドシャッター垂直保持装置は、除雪作業時車両進行方向に対し、常に除雪進行方向に対し垂直を保持するため、サイドシャッターの平行維持を目的とする２対のロッドを用い、排雪板センターブレード後方に備える支持軸を支点として、左右の排雪板ブレード端のサイドシャッターに２本のロッドを一対とするロッドが連結接続し、除雪ブレードの左右排雪板ブレードの前後方向へのアングル開閉動作に際しても、除雪進行方向に対してサイドシャッターを垂直保持することを特長とする。
【手続補正書】
【提出日】令和2年4月10日(2020.4.10)
【手続補正１】
【補正対象書類名】実用新案登録請求の範囲
【補正対象項目名】全文
【補正方法】変更
【補正の内容】
【実用新案登録請求の範囲】
【請求項１】
ホイールローダの作業用アタッチメントである除雪ブレードにおいて、除雪作業時除雪車両の進行方向に対し、左右の排雪板ブレードの両端に付属除雪ブレードとしてサイドシャッターを設置し、サイドシャッターは一軸を回転軸とする支持軸により、除雪車両の進行方向に対して垂直を保持ないし収納を可能とするもので、垂直を保持しサイドシャッターとして使用する際は、除雪面から排雪板ブレード面で集めた雪塊を左右の排雪板ブレード両端から毀れ落ちる事を防止し、しかも道路側端の除雪を安全に除雪することを可能とし、除雪路面の雪塊の残存を防止することが出来ることを特徴とするサイドシャッター垂直保持装置。
【請求項２】
請求項１のサイドシャッター垂直保持装置は、除雪作業時車両進行方向に対し、常に除雪進行方向に対し垂直を保持するため、サイドシャッターの平行維持を目的とする２対のロッドを用い、排雪板センターブレード後方に備える支持軸を支点として、左右の排雪板ブレード端のサイドシャッターに２本のロッドを一対とするロッドが連結接続し、除雪ブレードの左右排雪板ブレードの前後方向への排雪板ブレードのアングル開閉動作に際しても、除雪進行方向に対してサイドシャッターを垂直保持することを特徴とするサイドシャッター垂直保持装置。
【手続補正書】
【提出日】令和2年7月15日(2020.7.15)
【手続補正１】
【補正対象書類名】実用新案登録請求の範囲
【補正対象項目名】全文
【補正方法】変更
【補正の内容】
【実用新案登録請求の範囲】
【請求項１】
ホイールローダの作業用アタッチメントである除雪ブレードにおいて、（１）左右のサイドシャッターに接続する二本の平行維持ロッドを、左右の除雪ブレード背面に設け、（２）サイドシャッターは、左右のブレードの開閉並びに傾き動作に際しても、二本の平行維持ロッドにより、除雪面に対し垂直を保持する、（３）サイドシャッターは、一軸を回転軸とする支持軸により、除雪車両の進行方向に対して垂直の保持および収納部を設け、以上の（１）〜（３）の構成からなるサイドシャター垂直保持装置。
【手続補正書】
【提出日】令和2年10月19日(2020.10.19)
【手続補正１】
【補正対象書類名】実用新案登録請求の範囲
【補正対象項目名】全文
【補正方法】変更
【補正の内容】
【実用新案登録請求の範囲】
【請求項１】
ホイールローダの作業用アタッチメントである除雪ブレードにおいて、（１）左右のブレード端には除雪面進行方向に対してＶ字型で垂直構造のサイドシャッターを設け、（２）サイドシャッターの平行維持する二本の平行ロッドは、片方をセンターブレード背部に固定支持軸を設け、平行維持ロッド片方が、左右の除雪ブレード背面に敷設され、ブレード先端サイドシャッターに連結接続され、（３）左右の除雪ブレードの開閉並びに傾き動作に際しても、二本の平行維持ロッドの連結接続により、除雪面に対し垂直を保持する、（４）左右のブレード端下部には、サイドシャッターに一本の支持軸を中心とする可動軸を設け、除雪車両の進行方向に対してサイドシャッターの垂直を保持ないしサイドシャッターの収納を可能とするサイドシャッターユニットを構成する、以上の（１）〜（４）の構成からなるサイドシャター垂直保持装置。
【手続補正書】
【提出日】令和3年1月5日(2021.1.5)
【手続補正１】
【補正対象書類名】実用新案登録請求の範囲
【補正対象項目名】全文
【補正方法】変更
【補正の内容】
【実用新案登録請求の範囲】
【請求項１】
ホイールローダの作業用アタッチメントである除雪ブレードにおいて、（１）左右のブレード端には除雪面進行方向に対してＶ字型で垂直構造のサイドシャッターを設け、（２）サイドシャッターの平行維持する二本の平行ロッドは、片方をセンターブレード背部に固定支持軸を設け、平行維持ロッド片方が、左右の除雪ブレード背面に敷設され、ブレード先端サイドシャッターに連結接続され、（３）左右のブレード端下部には、サイドシャッターに一本の支持軸を中心とする可動軸を設け、除雪車両の進行方向に対してサイドシャッターの垂直を保持ないしサイドシャッターの収納を可能とするサイドシャッターユニットを構成する、以上の（１）〜（３）の構成からなるサイドシャター垂直保持装置。